(57)【要約】  ディスクドライブのディスクトレイ５０の右前周縁部５２に、光ディスク２００の回転方向Ａと交差する開口面５２６Ａを有する孔部５２６を設けている。このため、光ディスク２００の回転に伴って発生した空気の流れＢを、右前周縁部５２内に取り込むことができる。これにより、空気の流れＢがせきとめられて発生する、ディスクドライブ１００の局所的な圧力の上昇を抑えることができる。したがって、風切音を低減することができる。
2009084094.tif 000002
【特許請求の範囲】
【請求項１】
ケース体と、このケース体内に設けられ、ディスク状の記録媒体を処理するディスク処理部と、前記記録媒体を載置するトレイと、を具備したディスク装置であって、
前記ディスク処理部は、前記記録媒体を一方向に回転させる回転駆動部を備え、
前記トレイは、
前記記録媒体が載置される載置面と、
この載置面の周縁に設けられ前記載置面の一面側に突出する状態で設けられた周縁部と、
この周縁部に設けられ前記記録媒体の回転方向と交差する開口面を有する孔部と、を備えた
ことを特徴とするディスク装置。
【請求項２】
請求項１に記載のディスク装置において、
前記周縁部は、
前記トレイの一縁側に位置する一縁周縁部と、
前記載置面を介して前記一縁周縁部と対向する他縁周縁部と、から構成され、
前記ディスク処理部は、
前記記録媒体を処理するピックアップと、
前記ピックアップを前記記録媒体の径方向に沿って前記他縁周縁部と前記載置面内との間で移動させるピックアップ案内装置と、を備え、
前記載置面内から前記他縁周縁部にかけての部分には、前記ピックアップが露出するスペースとしての切欠部が設けられ、
前記孔部は、前記一縁周縁部に設けられている
ことを特徴とするディスク装置。
【請求項３】
請求項２に記載のディスク装置において、
前記一縁周縁部には、前記回転方向の上流側の端部に位置する前記孔部と、前記回転方向の下流側の端部に位置する対孔部と、が設けられ、
前記記録媒体の回転に伴って発生した空気の流れを、前記孔部から前記一縁周縁部内に取り込み、対孔部から排出する
ことを特徴とするディスク装置。
【請求項４】
請求項２または請求項３に記載のディスク装置において、
前記孔部は、前記他縁周縁部における前記回転方向の上流側端部にも設けられた
ことを特徴とするディスク装置。
【請求項５】
請求項２ないし請求項４のいずれかに記載のディスク装置であって、
前記一縁周縁部および前記他縁周縁部のうち少なくとも一方における前記回転方向の上流側の端部には、前記回転方向の下流側にくぼんだ凹部が設けられ、
前記孔部は、前記凹部に形成されている
ことを特徴とするディスク装置。
【請求項６】
請求項５に記載のディスク装置であって、
前記凹部には、前記孔部に対して前記載置面と反対側に設けられ前記記録媒体の側面と略平行な誘導面が設けられた
ことを特徴とするディスク装置。
【発明の詳細な説明】
【技術分野】
【０００１】
本発明は、ディスク装置に関する。
【背景技術】
【０００２】
従来、記録媒体をトレイに載置して、ケース体内部に搬送する構成が知られている（例えば、特許文献１、および、特許文献２参照）。【０００３】
特許文献１に記載のものは、トレイとして、円盤状記録媒体と平行な平面領域と、円盤状記録媒体の外周を覆う板状の円筒領域と、を備える。そして、円筒領域の周状の端部のうちの平面領域に近接する側の端部を非鋭角的に形成し、風切音量低減部材としている。また、円筒領域に不規則な複数の溝からなる溝状部を設けて風切音量低減部材としている。
この風切音量低減部材により、円盤状記録媒体の高速回転に伴う気流から発生する風切音を防止する構成が採られている。【０００４】
特許文献２に記載のものは、トレイとしてのディスク移送部材に、ディスク載置部と、光ピックアップからのレーザ光が貫通する第一の貫通部と、ディスク載置部より後方で第一の貫通部よりもディスクの回転方向の上流側に位置する第二の貫通部と、を設けている。
そして、回転するディスクが引き起こす誘起流が通過する際のせん断力と圧力差を利用し、第二の貫通部を通してディスク移送部材下側からの吸い上げ流を生じさせる。このような通風により、光ピックアップの放熱を促進する構成が採られている。【０００５】
【特許文献１】特開２００２−９３１３８号公報
【特許文献２】特開２００７−１０２８８４号公報
【発明の開示】
【発明が解決しようとする課題】
【０００６】
しかしながら、上述したような特許文献１および特許文献２のような構成では、図１に示すように、ディスクの高速回転に伴う空気の流れが、ディスク装置内に局所的な圧力の上昇を生じさせ、風切音を増大させるという問題点が一例として挙げられる。【０００７】
すなわち、ディスクドライブ８００には、ケース体８１０内外に移動可能に設けられたディスクトレイ８２０が設けられている。
このディスクトレイ８２０は、光ディスク２００が載置される載置面８２１の周縁に設けられた周縁部８２２と、ディスクトレイ８２０の前面を覆う前面板８２６と、を備えている。
周縁部８２２は、載置面８２１よりも上方の位置において、載置面８２１と略平行に設けられた周縁面８２３を備えている。また、周縁面８２３の端部には、下方に向けて略垂直に延びる縦壁部８２４が設けられている。
そして、縦壁部８２４とケース体８１０との間には、ディスクトレイ８２０の長手方向に延びる隙間８２５が形成される。【０００８】
このようなディスクドライブ８００において、光ディスク２００を回転方向Ａに回転させると、空気の流れＸが発生する。この空気の流れＸは、隙間８２５に入り込み、前面板８２６に衝突する。すると、隙間８２５やその近傍の圧力が高くなる。
こうして発生するディスクドライブ８００内の局所的な圧力差が、光ディスク２００の高速回転により発生する騒音を大きくする要因の一例として挙げられる。【０００９】
本発明は、このような問題点などに鑑みて、局所的な圧力の上昇を抑え、風切音を低減したディスク装置を提供することを１つの目的とする。
【課題を解決するための手段】
【００１０】
本発明のディスク装置は、ケース体と、このケース体内に設けられ、ディスク状の記録媒体を処理するディスク処理部と、前記記録媒体を載置するトレイと、を具備したディスク装置であって、前記ディスク処理部は、前記記録媒体を一方向に回転させる回転駆動部を備え、前記トレイは、前記記録媒体が載置される載置面と、この載置面の周縁に設けられ前記載置面の一面側に突出する状態で設けられた周縁部と、この周縁部に設けられ前記記録媒体の回転方向と交差する開口面を有する孔部と、を備えたことを特徴とする。
【図面の簡単な説明】
【００１１】
【図１】従来のディスクドライブの概略構成を示す平面図である。
【図２】本発明の実施形態に係るディスクドライブの構成を示す分解斜視図である。
【図３】前記実施形態におけるディスクトレイを示す平面図である。
【図４】前記実施形態におけるディスクトレイを示す斜視図である。
【図５】前記実施形態におけるディスクトレイを示す斜視図である。
【図６】本発明の実施例における試験方法を示す説明図である。
【図７】前記実施例における測定結果を示す説明図である。
【符号の説明】
【００１２】
１０…ケース体
２０…ディスク処理部としての本体部
２５…回転駆動部としてのディスク回転駆動手段
３０…ピックアップ案内装置としての処理移動手段
４２…ピックアップ
５０…トレイとしてのディスクトレイ
５１…載置面
５２…周縁部および一縁周縁部を構成する右前周縁部
５３…周縁部および一縁周縁部を構成する左前周縁部
５４…周縁部および他縁周縁部を構成する左後周縁部
５５…周縁部および他縁周縁部を構成する右後周縁部
５８…切欠部
１００…ディスク装置としてのディスクドライブ
２００…記録媒体としての光ディスク
５２３，５３３…凹部
５２４，５３４…誘導面
５２６，５４６…孔部
５２６Ａ，５３６Ａ，５４６Ａ…開口面
５３６…対孔部
【発明を実施するための最良の形態】
【００１３】
以下、本発明の一実施形態を図面に基づいて説明する。
本実施形態では、ディスク状の記録媒体としての光ディスクに情報を記録および読み出す処理装置であるディスク装置としてのディスクドライブを例示して説明する。なお、例えば携帯型のディスク装置やディスクドライブを備えた例えば映像データの録画などの記録や再生のための処理をする再生装置、記録装置あるいはゲーム機など、光ディスクに限らず、磁気ディスク、光磁気ディスクなどのいずれの記録媒体に各種情報を記録、あるいは読み出すいずれのディスク装置を対象とすることができる。また、記録媒体としては、ＣＤ（Compact Disc）、ＤＶＤ（Digital Versatile Disc）、ＢＤ（Blu-ray Disc：ブルーレイディスク）、ＨＤ−ＤＶＤ（High Definition DVD）などが例示できる。【００１４】
［ディスクドライブの構成］
図２は、本実施形態のディスクドライブの構成を示す分解斜視図である。図３は、ディスクトレイを示す平面図である。図４および図５は、それぞれ異なる方向から見たディスクトレイを示す斜視図である。【００１５】
図２において、１００はディスクドライブである。このディスクドライブ１００は、金属製のケース体１０を有している。このケース体１０は、下面および前面が２面に亘って開口する上ケース１１と、この上ケース１１の下面を閉塞する下ケース１２と、上ケース１１の前面を閉塞する化粧板１３とを有している。さらに、化粧板１３には、窓部１３ａが開口形成されている。【００１６】
また、ケース体１０は合成樹脂製のシャーシ１５を備えている。このシャーシ１５は、上ケース１１、下ケース１２および化粧板１３とにてケース体１０を構成する。また、これらの構成は、内部に収容空間１８を区画形成する。そして、シャーシ１５は、図２に示すように、略長方形枠状に形成されている。【００１７】
また、このシャーシ１５には、ディスク処理部としての本体部２０が配設されている。
この本体部２０は、例えば金属製の平板枠状に形成された台座部２１を有している。この台座部２１は、シャーシ１５に一縁が上下方向に回動可能に他縁がねじ止めされて取り付けられている。この台座部２１の一縁には、台座部２１の他縁を中心とした回動を案内する回動案内部２２が一体的に取り付けられている。【００１８】
さらに、台座部２１には、回動する一縁側に位置して光ディスク２００を回転方向Ａ（図３参照）に回転させる回転駆動部としてのディスク回転駆動手段２５が配設されている。このディスク回転駆動手段２５は、ターンテーブル２７を有している。このターンテーブル２７は、光ディスク２００の中心に開口形成された軸孔２１０に嵌挿する。そして、ターンテーブル２７の先端部には、図示しない磁石が埋設されている。【００１９】
また、台座部２１には、後述するピックアップ４２を光ディスク２００の径方向に進退させるピックアップ案内装置としての処理移動手段３０が配設されている。この処理移動手段３０は、一対のガイドシャフト３１および移動用電動モータ３２を備えている。【００２０】
さらに、処理移動手段３０には、記録再生手段４０が配設されている。この記録再生手段４０は、一対のガイドシャフト３１に保持された移動保持部４１を有している。また、移動保持部４１には、ピックアップ４２が配設されている。【００２１】
また、シャーシ１５には、光ディスク２００を載置し、水平方向に進退可能に移動するトレイとしてのディスクトレイ５０が配設されている。なお、ディスクトレイ５０の詳細については、後述する。【００２２】
さらに、シャーシ１５には、図２に示すように、ディスクトレイ５０を進退移動させる開閉駆動手段６０が配設されている。
この開閉駆動手段６０は、ギヤ、プーリ、無端ベルトなどを備えた駆動伝達部６１と、出入用電動モータ６４と、を備えている。そして、開閉駆動手段６０は、出入用電動モータ６４の駆動により、駆動伝達部６１を介してディスクトレイ５０を化粧板１３の窓部１３ａから進退させる。
また、開閉駆動手段６０は、シャーシ１５の前面に沿って移動可能に配設された移動カム６８を有している。
そして、移動カム６８は、出入用電動モータ６４および駆動伝達部６１の駆動により、シャーシ１５の幅方向に沿って移動し、台座部２１を上下方向に回動させる。【００２３】
そして、上述したディスク回転駆動手段２５、処理移動手段３０、記録再生手段４０および開閉駆動手段６０により、本体部２０が構成される。【００２４】
また、シャーシ１５には、回転子支持部材１７が設けられている。
回転子支持部材１７には、支持孔１７ｂが開口形成されている。この支持孔１７ｂには、略円盤状の回転子２９が回転可能に載置されている。また、この回転子２９には、図示しない磁性材料が一体的に取り付けられている。回転子２９は、ターンテーブル２７の磁石の磁力にて光ディスク２００をターンテーブル２７とにより挾持する。【００２５】
また、シャーシ１５には、回路基板７０が取り付けられている。
この回路基板７０は、シャーシ１５の下面を閉塞して本体部２０を覆うように取り付けられる。この回路基板７０には、制御部７１が搭載されている。【００２６】
制御部７１は、ディスクトレイ５０の出入制御、光ディスク２００への情報の記録処理などの本体部２０の動作を制御する。【００２７】
次に、ディスクトレイ５０の詳細について説明する。
なお、以下において、各構成の位置関係を方向で示す場合、ディスクドライブ１００の前面から見た方向を用いる。【００２８】
ディスクトレイ５０は、図３ないし図５に示すように、例えば合成樹脂にて略長方形板状に形成されている。このディスクトレイ５０は、光ディスク２００が載置される載置面５１と、この載置面５１の、右前面側に設けられた右前周縁部５２と、左前面側に設けられた左前周縁部５３と、左後面側に設けられた左後周縁部５４と、右後面側に設けられた右後周縁部５５と、を備えている。【００２９】
載置面５１は、後面側に向けて略Ｃ字状に開口する略板状に形成されている。【００３０】
右前周縁部５２と左前周縁部５３とは、一縁周縁部を構成する。左後周縁部５４と右後周縁部５５とは、他縁周縁部を構成する。そして、これら各周縁部５２〜５５は、本発明の周縁部を構成する。
また、各周縁部５２〜５５は、載置面５１の上側に突出する状態で設けられている。以下に、各周縁部５２〜５５の詳細な構成について説明する。【００３１】
右前周縁部５２は、略直角三角形板状に形成された周縁面５２１を備えている。この周縁面５２１は、載置面５１よりも上方の位置において、載置面５１と略平行に設けられている。そして、周縁面５２１は、略直角三角形の斜辺部分がディスクトレイ５０の中央側に位置し、直角部分がディスクトレイ５０の右前隅部に位置する状態で設けられている。さらに、周縁面５２１の斜辺部分の右端部には、載置面５１の周縁と連結された縦連結部５２２が設けられている。【００３２】
また、周縁面５２１の右端には、左側に向けてくぼんだ凹部５２３が設けられている。つまり、凹部５２３は、周縁面５２１における回転方向Ａの上流側の端部に、回転方向Ａの下流側にくぼむ形状に形成されている。この凹部５２３における前面側の部分には、下側に向けて延びる誘導面５２４が設けられている。この誘導面５２４は、光ディスク２００の側面と略平行な形状に形成されている。
さらに、この誘導面５２４の下端には、載置面５１の周縁と連結された下連結部５２５が設けられている。
また、凹部５２３の下側における縦連結部５２２と誘導面５２４との間の部分には、孔部５２６が設けられている。この孔部５２６は、回転方向Ａと交差する開口面５２６Ａを有している。
さらに、周縁面５２１の斜辺と載置面５１の周縁との間には、光ディスク２００の側面に沿った形状の周孔部５２７が設けられている。【００３３】
左前周縁部５３は、右前周縁部５２と左右対称の形状に形成されている。すなわち、左前周縁部５３は、周縁面５２１、縦連結部５２２、凹部５２３、誘導面５２４、下連結部５２５、孔部５２６、開口面５２６Ａ、周孔部５３７と同様の、周縁面５３１、縦連結部５３２、凹部５３３、誘導面５３４、下連結部５３５、対孔部５３６、開口面５３６Ａ、周孔部５３７を備えている。
ここで、対孔部５３６は、周縁面５３１における回転方向Ａの下流側の端部に設けられている。【００３４】
そして、右前周縁部５２および左前周縁部５３の前面側には、トレイ前面部５６が設けられている。そして、図２に示すように、このトレイ前面部５６に窓閉塞板部５９が着脱可能に取り付けられている。【００３５】
左後周縁部５４は、図３ないし図５に示すように、略台形板状の周縁面５４１を備えている。この周縁面５４１は、上底と下底とを結ぶ一方の側辺が下底と略直交し、他方の側辺（以下、斜辺と称す）が下底と鋭角をなす形状に形成されている。そして、周縁面５４１は、斜辺がディスクトレイ５０の中央側に位置し、直角部分がディスクトレイ５０の左後隅部に位置する状態で設けられている。そして、周縁面５４１の斜辺部分は、載置面５１の周縁と連結されている。【００３６】
また、周縁面５４１は、左側において載置面５１よりも若干上側に位置する略台形状の外側周縁部５４２と、この外側周縁部５４２の右側において斜め上方に向かって延びる周縁連結部５４３と、この周縁連結部５４３の延出先端から右側に向かって延びる略台形状の内側周縁部５４４と、にて略台形板状に形成されている。
そして、内側周縁部５４４には、周縁面５４１の上下を連通させる通気部５４５が設けられている。この通気部５４５は、円形の複数の通気孔５４５Ａにより構成されている。なお、図３ないし図５では、一部の通気孔５４５Ａのみに符号を付している。
また、周縁連結部５４３には、孔部５４６が設けられている。この孔部５４６は、回転方向Ａと交差する開口面５４６Ａを有している。【００３７】
右後周縁部５５は、左後周縁部５４と左右対称の形状に形成されている。すなわち、右後周縁部５５は、周縁面５４１、外側周縁部５４２、周縁連結部５４３、内側周縁部５４４、通気部５４５、通気孔５４５Ａと同様の、周縁面５５１、外側周縁部５５２、周縁連結部５５３、内側周縁部５５４、通気部５５５、通気孔５５５Ａを備えている。
なお、右後周縁部５５は、左後周縁部５４の孔部５４６と同様の構成を有していない。また、通気孔５５５Ａは、通気孔５４５Ａよりも多く設けられている。【００３８】
また、左後周縁部５４と右後周縁部５５との間には、これらを連結するとともに載置面５１の開口を閉塞する長方形板状の後周縁連結部５７が設けられている。そして、この後周縁連結部５７と、載置面５１とにより、ピックアップ４２が露出するスペースとして機能する切欠部５８が区画形成されている。【００３９】
［ディスクドライブの動作］
次に、上記一実施形態におけるディスクドライブ１００の動作について説明する。なお、ここでは、光ディスク２００の回転時におけるケース体１０内部の状態について詳細に説明し、その他の動作については、説明を省略する。【００４０】
例えば、ディスクトレイ５０に光ディスク２００が載置された状態で制御部７１に利用者からの処理の指令が伝達されると、ディスク回転駆動手段２５が光ディスク２００を回転させ、記録再生手段４０による処理が実施される。【００４１】
このとき、ケース体１０内では、図３に示すように、光ディスク２００の回転方向Ａへの回転に伴って、空気の流れＢ，Ｆ，Ｉが発生する。
空気の流れＢは、矢印Ｃで示すように、凹部５２３を通り、誘導面５２４により孔部５２６に誘導される。また、孔部５２６から右前周縁部５２内に取り込まれた空気は、矢印Ｄで示すように、周孔部５２７から排出され、周孔部５３７から左前周縁部５３内に取り込まれる。さらに、この左前周縁部５３内に取り込まれた空気は、矢印Ｅで示すように、対孔部５３６を通して左前周縁部５３外に排出される。【００４２】
また、空気の流れＦは、矢印Ｇで示すように、外側周縁部５４２上を通過し、孔部５４６を介して左後周縁部５４内に取り込まれる。この取り込まれた空気は、矢印Ｈで示すように、切欠部５８から左後周縁部５４外に排出される。なお、通気部５４５からも左後周縁部５４内の空気を排出することが可能である。
空気の流れＩは、切欠部５８から右後周縁部５５内に取り入れられる。取り入れられた空気は、矢印Ｊで示すように、通気部５５５を介して右後周縁部５５外に排出される。排出された空気は、矢印Ｋで示すように、載置面５１へと導かれる。
以上により、光ディスク２００の回転に伴って発生する空気は、ケース体１０内で循環することとなる。
なお、図３では、一部の通気孔５４５Ａのみに矢印Ｊを付している。【００４３】
［実施例］
次に、実施例として、本発明の効果を確認するために実施した試験について説明する。
図６は、試験方法を示す説明図である。図７は、測定結果を示す説明図である。【００４４】
〔実施例１〕
通気部５４５，５５５が形成されていないこと以外は、上述の実施形態と同様のディスクドライブ１００について、後述する騒音試験を実施した。【００４５】
〔実施例２〕
孔部５４６および通気部５４５，５５５が形成されていないこと以外は、上述の実施形態と同様のディスクドライブ１００について、後述する騒音試験を実施した。【００４６】
〔比較例１〕
孔部５２６、対孔部５３６および通気部５４５，５５５が形成されていないこと以外は、上述の実施形態と同様のディスクドライブ１００について、後述する騒音試験を実施した。【００４７】
〔試験方法〕
本実施例における試験では、図６に示すように、ＩＳＯ７７７９に準拠した騒音測定を実施した。
具体的には、テーブル３００や図示しないマイクスタンドなどを用いて、図６に示す位置関係となるように、ディスクドライブ１００とマイク４００を設置した。そして、下記の条件で騒音を測定した。【００４８】
（測定条件）
周波数特性Ａ
動特性：ＦＡＳＴ
測定レンジ：２０−９０ｄＢ
演算方法：等価騒音レベル（Ｌｅｑ）
平均時間３０ｓｅｃ
ディスクドライブの回転数：６９００、９２００、１０３５０、１１５００（ｍｉｎ−１）【００４９】
測定の結果を下記の表１および図７に示す。
図７おいて、縦軸は騒音レベル（ｄＢ）を示す。また、横軸はディスク回転数（ｍｉｎ−１）を示す。【００５０】
【表１】
2009084094.tif 000003
【００５１】
表１および図７から明らかなように、本発明の孔部５２６を備える実施例１および実施例２のディスクドライブ１００は、孔部５２６を備えない比較例１のディスクドライブ１００に比べ騒音が小さいことがわかる。
このことから、右前周縁部５２に設けた孔部５２６により、風切音を低減できることがわかる。
なお、左後周縁部５４に孔部５４６を備えない実施例２のディスクドライブ１００は、実施例１よりも騒音が大きいが、少なくとも回転数が６９００ないし１０３５０ｍｉｎ−１の範囲においては、比較例１と比べて風切音低減の効果が得られている。【００５２】
［ディスクドライブの作用効果］
以上のディスクドライブ１００によれば、以下の作用効果が期待できる。【００５３】
（１）ディスクトレイ５０の周縁部５２，５４に光ディスク２００の回転方向Ａと交差する開口面５２６Ａ，５４６Ａを有する孔部５２６，５４６を設けている。
このため、光ディスク２００の回転に伴って発生した空気の流れＢ，Ｆを、周縁部５２，５４内に取り込むことができる。これにより、空気の流れＢ，Ｆがせきとめられて発生する、ディスクドライブ１００内の局所的な圧力の上昇を抑えることができ、風切音を低減することができる。【００５４】
（２）切欠部５８が設けられていない右前周縁部５２に、孔部５２６を設けている。
ここで、従来のディスクドライブでも、周縁部５４，５５には、切欠部５８が設けられているので、光ディスク２００の回転に伴って発生した空気の流れＩを、切欠部５８を通して右後周縁部５５内に取り込むことができた。このため、周縁部５４，５５の近傍においては、局所的な圧力の上昇は発生しにくかったと考えられる。
しかし、従来のディスクドライブの周縁部５２，５３では、空気の流れＢを右前周縁部５２内に取り込む構成が無いため、空気の流れＢがせきとめられて圧力が上昇し、これに伴う風切音が生じていた。
これに対し、上記実施形態では、右前周縁部５２に孔部５２６を設けたので、空気の流れＢを右前周縁部５２内に取り込むことができる。これにより、圧力の上昇を抑え、風切音を低減することができる。【００５５】
（３）右前周縁部５２に孔部５２６を設けるとともに、左前周縁部５３に対孔部５３６を設けている。
ここで、周縁部５２，５３の内部には何らの構成も配置されていない。そこで、ディスクドライブ１００の小型化を図るため、周縁部５２，５３は可能な限り小さく形成することが好ましい。
また、上記実施形態のように、周縁部５２，５３の下に開閉駆動手段６０を設けた場合、周縁部５２，５３内のスペースはきわめて小さいものとなる。
このため、対孔部５３６を設けない場合、孔部５２６から取り込まれた空気の流れＢが右前周縁部５２内で滞留してしまうおそれがある。
これに対し、上記実施形態では、対孔部５３６を設けたので、孔部５２６から周縁部５２，５３内に取り込まれた空気を、対孔部５３６から周縁部５２，５３外に排出することができる。
これにより、周縁部５２，５３内のスペースが小さくても、孔部５２６から空気の流れＢを滞留させることがなくなり、風切音を低減することができる。【００５６】
（４）周縁部５２，５３に周孔部５２７，５３７を設けている。
このため、右前周縁部５２内に取り込まれた空気の流れを、周孔部５２７，５３７を介して左前周縁部５３側へと通過させることができる。これにより、空気の流れるスペースが不足して圧力が上昇することを防ぐことができ、風切音の発生を低減することができる。【００５７】
（５）左後周縁部５４にも、孔部５４６を設けている。
このため、左後周縁部５４付近で発生した空気の流れＦを、左後周縁部５４内に取り込むことができ、左後周縁部５４付近における圧力上昇に伴う風切音の発生をも低減することができる。【００５８】
（６）右前周縁部５２の端部に左側に向けてくぼんだ凹部５２３を設け、この凹部５２３に孔部５２６を形成している。
このため、光ディスク２００の回転により生じた空気の流れＢは、凹部５２３を通過して、孔部５２６に導かれる。このとき、空気が流れる部分が広くなり、また移動する距離が長くなるので、圧力の上昇がより発生しにくくなる。よって、風切音の発生を一層低減することができる。【００５９】
（７）凹部５２３に、孔部５２６に対して載置面５１と反対側に設けられ光ディスク２００の側面と略平行な誘導面５２４を設けている。
このため、凹部５２３を通過した空気の流れは、誘導面５３４によってスムーズに対孔部５３６に誘導される。これにより、凹部５２３内において空気の流れが滞り、圧力が上昇することを防ぐことができる。よって、風切音の発生をより一層低減することができる。【００６０】
（８）周縁部５４，５５の内側周縁部５４４，５５４に、周縁部５４，５５の内側と外側とを連通させる通気部５４５，５５５を設けている。
このため、切欠部５８を介して右後周縁部５５内に取り入れられた空気を、通気部５５５から右後周縁部５５外に排出することができる。よって、取り込んだ空気を排出することができない従来のディスクドライブ１００と異なり、空気の流れＩをよどみなく右後周縁部５５内に取り入れ、排出することができる。したがって、圧力の上昇およびこれに伴う風切音が発生しにくくなる。
特に、上記実施形態では、周縁部５４，５５の周縁面５４１，５５１のうち光ディスク２００の回転方向Ａの下流側に通気部５５５を設けている。
このため、右後周縁部５５内に取り入れられた空気を適切に排出することができる。【００６１】
（９）通気部５５５に隣接する形で一段低い外側周縁部５５２を設けている。
このため、通気部５５５から排出された空気は、外側周縁部５５２上を通過し、載置面５１にいたる。よって、一連の流れにおいて空気の流れが滞りにくくなる。したがって、圧力の上昇およびこれに伴う風切音が発生しにくくなる。【００６２】
［実施形態の変形］
なお、本発明は、上述した実施形態に限定されるものではなく、本発明の目的を達成できる範囲で以下に示される変形をも含むものである。【００６３】
すなわち、対孔部５３６、周孔部５２７，５３７、凹部５２３，５３３、誘導面５２４，５３４、通気部５４５，５５５を設けなくてもよい。
また、本発明の周縁部は、右前周縁部５２、左前周縁部５３、左後周縁部５４および右後周縁部５５に別れていなくてもよい。
すなわち、孔部５２６が、一または複数の周縁部のいずれかに少なくとも一つ設けられていればよい。
このような構成においても、孔部５２６から空気の流れを周縁部内に取り込むことができるので、局所的な圧力上昇を抑え、風切音を低減させることができる。【００６４】
ディスクトレイ５０によって光ディスク２００をケース体１０の内外に搬送する構成のディスクドライブ１００を例示したが、これに限らず、例えば、固定されたディスクトレイ５０の上部に開閉可能な蓋部材を設けてもよい。この場合、例えば、蓋部材を開いて光ディスク２００を載置する構成が採用できる。【００６５】
その他、本発明の実施の際の具体的な構造および手順は、本発明の目的を達成できる範囲で他の構造などに適宜変更できる。【００６６】
［実施形態の効果］
上記実施形態では、ディスクトレイ５０の右前周縁部５２に光ディスク２００の回転方向Ａと交差する開口面５２６Ａを有する孔部５２６を設けている。
このため、光ディスク２００の回転に伴って発生した空気の流れＢを、右前周縁部５２内に取り込むことができる。これにより、空気の流れＢがせきとめられて発生する、ディスクドライブ１００の局所的な圧力の上昇を抑えることができ、風切音を低減することができる。
【産業上の利用可能性】
【００６７】
本発明は、ディスク装置として利用できる。
【図１】
2009084094.tif 000004
【図２】
2009084094.tif 000005
【図３】
2009084094.tif 000006
【図４】
2009084094.tif 000007
【図５】
2009084094.tif 000008
【図６】
2009084094.tif 000009
【図７】
2009084094.tif 000010
【手続補正書】
【提出日】平成22年6月10日(2010.6.10)
【手続補正１】
【補正対象書類名】明細書
【補正対象項目名】全文
【補正方法】変更
【補正の内容】
【発明の詳細な説明】
【技術分野】
【０００１】
本発明は、ディスク装置に関する。
【背景技術】
【０００２】
従来、記録媒体をトレイに載置して、ケース体内部に搬送する構成が知られている（例えば、特許文献１、および、特許文献２参照）。
【０００３】
特許文献１に記載のものは、トレイとして、円盤状記録媒体と平行な平面領域と、円盤状記録媒体の外周を覆う板状の円筒領域と、を備える。そして、円筒領域の周状の端部のうちの平面領域に近接する側の端部を非鋭角的に形成し、風切音量低減部材としている。また、円筒領域に不規則な複数の溝からなる溝状部を設けて風切音量低減部材としている。
この風切音量低減部材により、円盤状記録媒体の高速回転に伴う気流から発生する風切音を防止する構成が採られている。
【０００４】
特許文献２に記載のものは、トレイとしてのディスク移送部材に、ディスク載置部と、光ピックアップからのレーザ光が貫通する第一の貫通部と、ディスク載置部より後方で第一の貫通部よりもディスクの回転方向の上流側に位置する第二の貫通部と、を設けている。
そして、回転するディスクが引き起こす誘起流が通過する際のせん断力と圧力差を利用し、第二の貫通部を通してディスク移送部材下側からの吸い上げ流を生じさせる。このような通風により、光ピックアップの放熱を促進する構成が採られている。
【先行技術文献】
【特許文献】
【０００５】
【特許文献１】特開２００２−９３１３８号公報
【特許文献２】特開２００７−１０２８８４号公報
【発明の概要】
【発明が解決しようとする課題】
【０００６】
しかしながら、上述したような特許文献１および特許文献２のような構成では、図１に示すように、ディスクの高速回転に伴う空気の流れが、ディスク装置内に局所的な圧力の上昇を生じさせ、風切音を増大させるという問題点が一例として挙げられる。
【０００７】
すなわち、ディスクドライブ８００には、ケース体８１０内外に移動可能に設けられたディスクトレイ８２０が設けられている。
このディスクトレイ８２０は、光ディスク２００が載置される載置面８２１の周縁に設けられた周縁部８２２と、ディスクトレイ８２０の前面を覆う前面板８２６と、を備えている。
周縁部８２２は、載置面８２１よりも上方の位置において、載置面８２１と略平行に設けられた周縁面８２３を備えている。また、周縁面８２３の端部には、下方に向けて略垂直に延びる縦壁部８２４が設けられている。
そして、縦壁部８２４とケース体８１０との間には、ディスクトレイ８２０の長手方向に延びる隙間８２５が形成される。
【０００８】
このようなディスクドライブ８００において、光ディスク２００を回転方向Ａに回転させると、空気の流れＸが発生する。この空気の流れＸは、隙間８２５に入り込み、前面板８２６に衝突する。すると、隙間８２５やその近傍の圧力が高くなる。
こうして発生するディスクドライブ８００内の局所的な圧力差が、光ディスク２００の高速回転により発生する騒音を大きくする要因の一例として挙げられる。
【０００９】
本発明は、このような問題点などに鑑みて、局所的な圧力の上昇を抑え、風切音を低減したディスク装置を提供することを１つの目的とする。
【課題を解決するための手段】
【００１０】
本発明のディスク装置は、ケース体と、このケース体内に設けられ、ディスク状の記録媒体を処理するディスク処理部と、前記記録媒体を載置するトレイと、を具備したディスク装置であって、前記ディスク処理部は、前記記録媒体を一方向に回転させる回転駆動部を備え、前記トレイは、前記記録媒体が載置される載置面と、この載置面の周縁に設けられ前記載置面の一面側に突出する状態で設けられ、前記トレイの一縁側に位置する一縁周縁部と、前記載置面を介して前記一縁周縁部と対向する他縁周縁部と、から構成された周縁部と、この周縁部に設けられ前記記録媒体の回転方向と交差する開口面を有する孔部と、を備え、前記一縁周縁部には、前記回転方向の上流側の端部に位置する前記孔部と、前記回転方向の下流側の端部に位置する対孔部と、が設けられ、前記記録媒体の回転に伴って発生した空気の流れを、前記孔部から前記一縁周縁部内に取り込み、対孔部から排出することを特徴とする。
【図面の簡単な説明】
【００１１】
【図１】従来のディスクドライブの概略構成を示す平面図である。
【図２】本発明の実施形態に係るディスクドライブの構成を示す分解斜視図である。
【図３】前記実施形態におけるディスクトレイを示す平面図である。
【図４】前記実施形態におけるディスクトレイを示す斜視図である。
【図５】前記実施形態におけるディスクトレイを示す斜視図である。
【図６】本発明の実施例における試験方法を示す説明図である。
【図７】前記実施例における測定結果を示す説明図である。
【発明を実施するための形態】
【００１２】
以下、本発明の一実施形態を図面に基づいて説明する。
本実施形態では、ディスク状の記録媒体としての光ディスクに情報を記録および読み出す処理装置であるディスク装置としてのディスクドライブを例示して説明する。なお、例えば携帯型のディスク装置やディスクドライブを備えた例えば映像データの録画などの記録や再生のための処理をする再生装置、記録装置あるいはゲーム機など、光ディスクに限らず、磁気ディスク、光磁気ディスクなどのいずれの記録媒体に各種情報を記録、あるいは読み出すいずれのディスク装置を対象とすることができる。また、記録媒体としては、ＣＤ（Compact Disc）、ＤＶＤ（Digital Versatile Disc）、ＢＤ（Blu-ray Disc：ブルーレイディスク）、ＨＤ−ＤＶＤ（High Definition DVD）などが例示できる。
【００１３】
［ディスクドライブの構成］
図２は、本実施形態のディスクドライブの構成を示す分解斜視図である。図３は、ディスクトレイを示す平面図である。図４および図５は、それぞれ異なる方向から見たディスクトレイを示す斜視図である。
【００１４】
図２において、１００はディスクドライブである。このディスクドライブ１００は、金属製のケース体１０を有している。このケース体１０は、下面および前面が２面に亘って開口する上ケース１１と、この上ケース１１の下面を閉塞する下ケース１２と、上ケース１１の前面を閉塞する化粧板１３とを有している。さらに、化粧板１３には、窓部１３ａが開口形成されている。
【００１５】
また、ケース体１０は合成樹脂製のシャーシ１５を備えている。このシャーシ１５は、上ケース１１、下ケース１２および化粧板１３とにてケース体１０を構成する。また、これらの構成は、内部に収容空間１８を区画形成する。そして、シャーシ１５は、図２に示すように、略長方形枠状に形成されている。
【００１６】
また、このシャーシ１５には、ディスク処理部としての本体部２０が配設されている。
この本体部２０は、例えば金属製の平板枠状に形成された台座部２１を有している。この台座部２１は、シャーシ１５に一縁が上下方向に回動可能に他縁がねじ止めされて取り付けられている。この台座部２１の一縁には、台座部２１の他縁を中心とした回動を案内する回動案内部２２が一体的に取り付けられている。
【００１７】
さらに、台座部２１には、回動する一縁側に位置して光ディスク２００を回転方向Ａ（図３参照）に回転させる回転駆動部としてのディスク回転駆動手段２５が配設されている。このディスク回転駆動手段２５は、ターンテーブル２７を有している。このターンテーブル２７は、光ディスク２００の中心に開口形成された軸孔２１０に嵌挿する。そして、ターンテーブル２７の先端部には、図示しない磁石が埋設されている。
【００１８】
また、台座部２１には、後述するピックアップ４２を光ディスク２００の径方向に進退させるピックアップ案内装置としての処理移動手段３０が配設されている。この処理移動手段３０は、一対のガイドシャフト３１および移動用電動モータ３２を備えている。
【００１９】
さらに、処理移動手段３０には、記録再生手段４０が配設されている。この記録再生手段４０は、一対のガイドシャフト３１に保持された移動保持部４１を有している。また、移動保持部４１には、ピックアップ４２が配設されている。
【００２０】
また、シャーシ１５には、光ディスク２００を載置し、水平方向に進退可能に移動するトレイとしてのディスクトレイ５０が配設されている。なお、ディスクトレイ５０の詳細については、後述する。
【００２１】
さらに、シャーシ１５には、図２に示すように、ディスクトレイ５０を進退移動させる開閉駆動手段６０が配設されている。
この開閉駆動手段６０は、ギヤ、プーリ、無端ベルトなどを備えた駆動伝達部６１と、出入用電動モータ６４と、を備えている。そして、開閉駆動手段６０は、出入用電動モータ６４の駆動により、駆動伝達部６１を介してディスクトレイ５０を化粧板１３の窓部１３ａから進退させる。
また、開閉駆動手段６０は、シャーシ１５の前面に沿って移動可能に配設された移動カム６８を有している。
そして、移動カム６８は、出入用電動モータ６４および駆動伝達部６１の駆動により、シャーシ１５の幅方向に沿って移動し、台座部２１を上下方向に回動させる。
【００２２】
そして、上述したディスク回転駆動手段２５、処理移動手段３０、記録再生手段４０および開閉駆動手段６０により、本体部２０が構成される。
【００２３】
また、シャーシ１５には、回転子支持部材１７が設けられている。
回転子支持部材１７には、支持孔１７ｂが開口形成されている。この支持孔１７ｂには、略円盤状の回転子２９が回転可能に載置されている。また、この回転子２９には、図示しない磁性材料が一体的に取り付けられている。回転子２９は、ターンテーブル２７の磁石の磁力にて光ディスク２００をターンテーブル２７とにより挾持する。
【００２４】
また、シャーシ１５には、回路基板７０が取り付けられている。
この回路基板７０は、シャーシ１５の下面を閉塞して本体部２０を覆うように取り付けられる。この回路基板７０には、制御部７１が搭載されている。
【００２５】
制御部７１は、ディスクトレイ５０の出入制御、光ディスク２００への情報の記録処理などの本体部２０の動作を制御する。
【００２６】
次に、ディスクトレイ５０の詳細について説明する。
なお、以下において、各構成の位置関係を方向で示す場合、ディスクドライブ１００の前面から見た方向を用いる。
【００２７】
ディスクトレイ５０は、図３ないし図５に示すように、例えば合成樹脂にて略長方形板状に形成されている。このディスクトレイ５０は、光ディスク２００が載置される載置面５１と、この載置面５１の、右前面側に設けられた右前周縁部５２と、左前面側に設けられた左前周縁部５３と、左後面側に設けられた左後周縁部５４と、右後面側に設けられた右後周縁部５５と、を備えている。
【００２８】
載置面５１は、後面側に向けて略Ｃ字状に開口する略板状に形成されている。
【００２９】
右前周縁部５２と左前周縁部５３とは、一縁周縁部を構成する。左後周縁部５４と右後周縁部５５とは、他縁周縁部を構成する。そして、これら各周縁部５２〜５５は、本発明の周縁部を構成する。
また、各周縁部５２〜５５は、載置面５１の上側に突出する状態で設けられている。以下に、各周縁部５２〜５５の詳細な構成について説明する。
【００３０】
右前周縁部５２は、略直角三角形板状に形成された周縁面５２１を備えている。この周縁面５２１は、載置面５１よりも上方の位置において、載置面５１と略平行に設けられている。そして、周縁面５２１は、略直角三角形の斜辺部分がディスクトレイ５０の中央側に位置し、直角部分がディスクトレイ５０の右前隅部に位置する状態で設けられている。さらに、周縁面５２１の斜辺部分の右端部には、載置面５１の周縁と連結された縦連結部５２２が設けられている。
【００３１】
また、周縁面５２１の右端には、左側に向けてくぼんだ凹部５２３が設けられている。つまり、凹部５２３は、周縁面５２１における回転方向Ａの上流側の端部に、回転方向Ａの下流側にくぼむ形状に形成されている。この凹部５２３における前面側の部分には、下側に向けて延びる誘導面５２４が設けられている。この誘導面５２４は、光ディスク２００の側面と略平行な形状に形成されている。
さらに、この誘導面５２４の下端には、載置面５１の周縁と連結された下連結部５２５が設けられている。
また、凹部５２３の下側における縦連結部５２２と誘導面５２４との間の部分には、孔部５２６が設けられている。この孔部５２６は、回転方向Ａと交差する開口面５２６Ａを有している。
さらに、周縁面５２１の斜辺と載置面５１の周縁との間には、光ディスク２００の側面に沿った形状の周孔部５２７が設けられている。
【００３２】
左前周縁部５３は、右前周縁部５２と左右対称の形状に形成されている。すなわち、左前周縁部５３は、周縁面５２１、縦連結部５２２、凹部５２３、誘導面５２４、下連結部５２５、孔部５２６、開口面５２６Ａ、周孔部５３７と同様の、周縁面５３１、縦連結部５３２、凹部５３３、誘導面５３４、下連結部５３５、対孔部５３６、開口面５３６Ａ、周孔部５３７を備えている。
ここで、対孔部５３６は、周縁面５３１における回転方向Ａの下流側の端部に設けられている。
【００３３】
そして、右前周縁部５２および左前周縁部５３の前面側には、トレイ前面部５６が設けられている。そして、図２に示すように、このトレイ前面部５６に窓閉塞板部５９が着脱可能に取り付けられている。
【００３４】
左後周縁部５４は、図３ないし図５に示すように、略台形板状の周縁面５４１を備えている。この周縁面５４１は、上底と下底とを結ぶ一方の側辺が下底と略直交し、他方の側辺（以下、斜辺と称す）が下底と鋭角をなす形状に形成されている。そして、周縁面５４１は、斜辺がディスクトレイ５０の中央側に位置し、直角部分がディスクトレイ５０の左後隅部に位置する状態で設けられている。そして、周縁面５４１の斜辺部分は、載置面５１の周縁と連結されている。
【００３５】
また、周縁面５４１は、左側において載置面５１よりも若干上側に位置する略台形状の外側周縁部５４２と、この外側周縁部５４２の右側において斜め上方に向かって延びる周縁連結部５４３と、この周縁連結部５４３の延出先端から右側に向かって延びる略台形状の内側周縁部５４４と、にて略台形板状に形成されている。
そして、内側周縁部５４４には、周縁面５４１の上下を連通させる通気部５４５が設けられている。この通気部５４５は、円形の複数の通気孔５４５Ａにより構成されている。なお、図３ないし図５では、一部の通気孔５４５Ａのみに符号を付している。
また、周縁連結部５４３には、孔部５４６が設けられている。この孔部５４６は、回転方向Ａと交差する開口面５４６Ａを有している。
【００３６】
右後周縁部５５は、左後周縁部５４と左右対称の形状に形成されている。すなわち、右後周縁部５５は、周縁面５４１、外側周縁部５４２、周縁連結部５４３、内側周縁部５４４、通気部５４５、通気孔５４５Ａと同様の、周縁面５５１、外側周縁部５５２、周縁連結部５５３、内側周縁部５５４、通気部５５５、通気孔５５５Ａを備えている。
なお、右後周縁部５５は、左後周縁部５４の孔部５４６と同様の構成を有していない。また、通気孔５５５Ａは、通気孔５４５Ａよりも多く設けられている。
【００３７】
また、左後周縁部５４と右後周縁部５５との間には、これらを連結するとともに載置面５１の開口を閉塞する長方形板状の後周縁連結部５７が設けられている。そして、この後周縁連結部５７と、載置面５１とにより、ピックアップ４２が露出するスペースとして機能する切欠部５８が区画形成されている。
【００３８】
［ディスクドライブの動作］
次に、上記一実施形態におけるディスクドライブ１００の動作について説明する。なお、ここでは、光ディスク２００の回転時におけるケース体１０内部の状態について詳細に説明し、その他の動作については、説明を省略する。
【００３９】
例えば、ディスクトレイ５０に光ディスク２００が載置された状態で制御部７１に利用者からの処理の指令が伝達されると、ディスク回転駆動手段２５が光ディスク２００を回転させ、記録再生手段４０による処理が実施される。
【００４０】
このとき、ケース体１０内では、図３に示すように、光ディスク２００の回転方向Ａへの回転に伴って、空気の流れＢ，Ｆ，Ｉが発生する。
空気の流れＢは、矢印Ｃで示すように、凹部５２３を通り、誘導面５２４により孔部５２６に誘導される。また、孔部５２６から右前周縁部５２内に取り込まれた空気は、矢印Ｄで示すように、周孔部５２７から排出され、周孔部５３７から左前周縁部５３内に取り込まれる。さらに、この左前周縁部５３内に取り込まれた空気は、矢印Ｅで示すように、対孔部５３６を通して左前周縁部５３外に排出される。
【００４１】
また、空気の流れＦは、矢印Ｇで示すように、外側周縁部５４２上を通過し、孔部５４６を介して左後周縁部５４内に取り込まれる。この取り込まれた空気は、矢印Ｈで示すように、切欠部５８から左後周縁部５４外に排出される。なお、通気部５４５からも左後周縁部５４内の空気を排出することが可能である。
空気の流れＩは、切欠部５８から右後周縁部５５内に取り入れられる。取り入れられた空気は、矢印Ｊで示すように、通気部５５５を介して右後周縁部５５外に排出される。排出された空気は、矢印Ｋで示すように、載置面５１へと導かれる。
以上により、光ディスク２００の回転に伴って発生する空気は、ケース体１０内で循環することとなる。
なお、図３では、一部の通気孔５４５Ａのみに矢印Ｊを付している。
【００４２】
［実施例］
次に、実施例として、本発明の効果を確認するために実施した試験について説明する。
図６は、試験方法を示す説明図である。図７は、測定結果を示す説明図である。
【００４３】
〔実施例１〕
通気部５４５，５５５が形成されていないこと以外は、上述の実施形態と同様のディスクドライブ１００について、後述する騒音試験を実施した。
【００４４】
〔実施例２〕
孔部５４６および通気部５４５，５５５が形成されていないこと以外は、上述の実施形態と同様のディスクドライブ１００について、後述する騒音試験を実施した。
【００４５】
〔比較例１〕
孔部５２６、対孔部５３６および通気部５４５，５５５が形成されていないこと以外は、上述の実施形態と同様のディスクドライブ１００について、後述する騒音試験を実施した。
【００４６】
〔試験方法〕
本実施例における試験では、図６に示すように、ＩＳＯ７７７９に準拠した騒音測定を実施した。
具体的には、テーブル３００や図示しないマイクスタンドなどを用いて、図６に示す位置関係となるように、ディスクドライブ１００とマイク４００を設置した。そして、下記の条件で騒音を測定した。
【００４７】
（測定条件）
周波数特性Ａ
動特性：ＦＡＳＴ
測定レンジ：２０−９０ｄＢ
演算方法：等価騒音レベル（Ｌｅｑ）
平均時間３０ｓｅｃ
ディスクドライブの回転数：６９００、９２００、１０３５０、１１５００（ｍｉｎ−１）
【００４８】
測定の結果を下記の表１および図７に示す。
図７おいて、縦軸は騒音レベル（ｄＢ）を示す。また、横軸はディスク回転数（ｍｉｎ−１）を示す。
【００４９】
【表１】
2009084094.tif 000011
【００５０】
表１および図７から明らかなように、本発明の孔部５２６を備える実施例１および実施例２のディスクドライブ１００は、孔部５２６を備えない比較例１のディスクドライブ１００に比べ騒音が小さいことがわかる。
このことから、右前周縁部５２に設けた孔部５２６により、風切音を低減できることがわかる。
なお、左後周縁部５４に孔部５４６を備えない実施例２のディスクドライブ１００は、実施例１よりも騒音が大きいが、少なくとも回転数が６９００ないし１０３５０ｍｉｎ−１の範囲においては、比較例１と比べて風切音低減の効果が得られている。
【００５１】
［ディスクドライブの作用効果］
以上のディスクドライブ１００によれば、以下の作用効果が期待できる。
【００５２】
（１）ディスクトレイ５０の周縁部５２，５４に光ディスク２００の回転方向Ａと交差する開口面５２６Ａ，５４６Ａを有する孔部５２６，５４６を設けている。
このため、光ディスク２００の回転に伴って発生した空気の流れＢ，Ｆを、周縁部５２，５４内に取り込むことができる。これにより、空気の流れＢ，Ｆがせきとめられて発生する、ディスクドライブ１００内の局所的な圧力の上昇を抑えることができ、風切音を低減することができる。
【００５３】
（２）切欠部５８が設けられていない右前周縁部５２に、孔部５２６を設けている。
ここで、従来のディスクドライブでも、周縁部５４，５５には、切欠部５８が設けられているので、光ディスク２００の回転に伴って発生した空気の流れＩを、切欠部５８を通して右後周縁部５５内に取り込むことができた。このため、周縁部５４，５５の近傍においては、局所的な圧力の上昇は発生しにくかったと考えられる。
しかし、従来のディスクドライブの周縁部５２，５３では、空気の流れＢを右前周縁部５２内に取り込む構成が無いため、空気の流れＢがせきとめられて圧力が上昇し、これに伴う風切音が生じていた。
これに対し、上記実施形態では、右前周縁部５２に孔部５２６を設けたので、空気の流れＢを右前周縁部５２内に取り込むことができる。これにより、圧力の上昇を抑え、風切音を低減することができる。
【００５４】
（３）右前周縁部５２に孔部５２６を設けるとともに、左前周縁部５３に対孔部５３６を設けている。
ここで、周縁部５２，５３の内部には何らの構成も配置されていない。そこで、ディスクドライブ１００の小型化を図るため、周縁部５２，５３は可能な限り小さく形成することが好ましい。
また、上記実施形態のように、周縁部５２，５３の下に開閉駆動手段６０を設けた場合、周縁部５２，５３内のスペースはきわめて小さいものとなる。
このため、対孔部５３６を設けない場合、孔部５２６から取り込まれた空気の流れＢが右前周縁部５２内で滞留してしまうおそれがある。
これに対し、上記実施形態では、対孔部５３６を設けたので、孔部５２６から周縁部５２，５３内に取り込まれた空気を、対孔部５３６から周縁部５２，５３外に排出することができる。
これにより、周縁部５２，５３内のスペースが小さくても、孔部５２６から空気の流れＢを滞留させることがなくなり、風切音を低減することができる。
【００５５】
（４）周縁部５２，５３に周孔部５２７，５３７を設けている。
このため、右前周縁部５２内に取り込まれた空気の流れを、周孔部５２７，５３７を介して左前周縁部５３側へと通過させることができる。これにより、空気の流れるスペースが不足して圧力が上昇することを防ぐことができ、風切音の発生を低減することができる。
【００５６】
（５）左後周縁部５４にも、孔部５４６を設けている。
このため、左後周縁部５４付近で発生した空気の流れＦを、左後周縁部５４内に取り込むことができ、左後周縁部５４付近における圧力上昇に伴う風切音の発生をも低減することができる。
【００５７】
（６）右前周縁部５２の端部に左側に向けてくぼんだ凹部５２３を設け、この凹部５２３に孔部５２６を形成している。
このため、光ディスク２００の回転により生じた空気の流れＢは、凹部５２３を通過して、孔部５２６に導かれる。このとき、空気が流れる部分が広くなり、また移動する距離が長くなるので、圧力の上昇がより発生しにくくなる。よって、風切音の発生を一層低減することができる。
【００５８】
（７）凹部５２３に、孔部５２６に対して載置面５１と反対側に設けられ光ディスク２００の側面と略平行な誘導面５２４を設けている。
このため、凹部５２３を通過した空気の流れは、誘導面５３４によってスムーズに対孔部５３６に誘導される。これにより、凹部５２３内において空気の流れが滞り、圧力が上昇することを防ぐことができる。よって、風切音の発生をより一層低減することができる。
【００５９】
（８）周縁部５４，５５の内側周縁部５４４，５５４に、周縁部５４，５５の内側と外側とを連通させる通気部５４５，５５５を設けている。
このため、切欠部５８を介して右後周縁部５５内に取り入れられた空気を、通気部５５５から右後周縁部５５外に排出することができる。よって、取り込んだ空気を排出することができない従来のディスクドライブ１００と異なり、空気の流れＩをよどみなく右後周縁部５５内に取り入れ、排出することができる。したがって、圧力の上昇およびこれに伴う風切音が発生しにくくなる。
特に、上記実施形態では、周縁部５４，５５の周縁面５４１，５５１のうち光ディスク２００の回転方向Ａの下流側に通気部５５５を設けている。
このため、右後周縁部５５内に取り入れられた空気を適切に排出することができる。
【００６０】
（９）通気部５５５に隣接する形で一段低い外側周縁部５５２を設けている。
このため、通気部５５５から排出された空気は、外側周縁部５５２上を通過し、載置面５１にいたる。よって、一連の流れにおいて空気の流れが滞りにくくなる。したがって、圧力の上昇およびこれに伴う風切音が発生しにくくなる。
【００６１】
［実施形態の変形］
なお、本発明は、上述した実施形態に限定されるものではなく、本発明の目的を達成できる範囲で以下に示される変形をも含むものである。
【００６２】
すなわち、対孔部５３６、周孔部５２７，５３７、凹部５２３，５３３、誘導面５２４，５３４、通気部５４５，５５５を設けなくてもよい。
また、本発明の周縁部は、右前周縁部５２、左前周縁部５３、左後周縁部５４および右後周縁部５５に別れていなくてもよい。
すなわち、孔部５２６が、一または複数の周縁部のいずれかに少なくとも一つ設けられていればよい。
このような構成においても、孔部５２６から空気の流れを周縁部内に取り込むことができるので、局所的な圧力上昇を抑え、風切音を低減させることができる。
【００６３】
ディスクトレイ５０によって光ディスク２００をケース体１０の内外に搬送する構成のディスクドライブ１００を例示したが、これに限らず、例えば、固定されたディスクトレイ５０の上部に開閉可能な蓋部材を設けてもよい。この場合、例えば、蓋部材を開いて光ディスク２００を載置する構成が採用できる。
【００６４】
その他、本発明の実施の際の具体的な構造および手順は、本発明の目的を達成できる範囲で他の構造などに適宜変更できる。
【００６５】
［実施形態の効果］
上記実施形態では、ディスクトレイ５０の右前周縁部５２に光ディスク２００の回転方向Ａと交差する開口面５２６Ａを有する孔部５２６を設けている。
このため、光ディスク２００の回転に伴って発生した空気の流れＢを、右前周縁部５２内に取り込むことができる。これにより、空気の流れＢがせきとめられて発生する、ディスクドライブ１００の局所的な圧力の上昇を抑えることができ、風切音を低減することができる。
【産業上の利用可能性】
【００６６】
本発明は、ディスク装置として利用できる。
【符号の説明】
【００６７】
１０…ケース体
２０…ディスク処理部としての本体部
２５…回転駆動部としてのディスク回転駆動手段
３０…ピックアップ案内装置としての処理移動手段
４２…ピックアップ
５０…トレイとしてのディスクトレイ
５１…載置面
５２…周縁部および一縁周縁部を構成する右前周縁部
５３…周縁部および一縁周縁部を構成する左前周縁部
５４…周縁部および他縁周縁部を構成する左後周縁部
５５…周縁部および他縁周縁部を構成する右後周縁部
５８…切欠部
１００…ディスク装置としてのディスクドライブ
２００…記録媒体としての光ディスク
５２３，５３３…凹部
５２４，５３４…誘導面
５２６，５４６…孔部
５２６Ａ，５３６Ａ，５４６Ａ…開口面
５３６…対孔部
【手続補正２】
【補正対象書類名】特許請求の範囲
【補正対象項目名】全文
【補正方法】変更
【補正の内容】
【特許請求の範囲】
【請求項１】
ケース体と、このケース体内に設けられ、ディスク状の記録媒体を処理するディスク処理部と、前記記録媒体を載置するトレイと、を具備したディスク装置であって、
前記ディスク処理部は、前記記録媒体を一方向に回転させる回転駆動部を備え、
前記トレイは、
前記記録媒体が載置される載置面と、
この載置面の周縁に設けられ前記載置面の一面側に突出する状態で設けられ、前記トレイの一縁側に位置する一縁周縁部と、前記載置面を介して前記一縁周縁部と対向する他縁周縁部と、から構成された周縁部と、
この周縁部に設けられ前記記録媒体の回転方向と交差する開口面を有する孔部と、を備え、
前記一縁周縁部には、前記回転方向の上流側の端部に位置する前記孔部と、前記回転方向の下流側の端部に位置する対孔部と、が設けられ、
前記記録媒体の回転に伴って発生した空気の流れを、前記孔部から前記一縁周縁部内に取り込み、対孔部から排出する
ことを特徴とするディスク装置。
【請求項２】
請求項１に記載のディスク装置において、
前記ディスク処理部は、
前記記録媒体を処理するピックアップと、
前記ピックアップを前記記録媒体の径方向に沿って前記他縁周縁部と前記載置面内との間で移動させるピックアップ案内装置と、を備え、
前記載置面内から前記他縁周縁部にかけての部分には、前記ピックアップが露出するスペースとしての切欠部が設けられ、
前記孔部は、前記一縁周縁部に設けられている
ことを特徴とするディスク装置。
【請求項３】
請求項１または請求項２に記載のディスク装置において、
前記孔部は、前記他縁周縁部における前記回転方向の上流側端部にも設けられた
ことを特徴とするディスク装置。
【請求項４】
請求項１ないし請求項３のいずれかに記載のディスク装置であって、
前記一縁周縁部および前記他縁周縁部のうち少なくとも一方における前記回転方向の上流側の端部には、前記回転方向の下流側にくぼんだ凹部が設けられ、
前記孔部は、前記凹部に形成されている
ことを特徴とするディスク装置。
【請求項５】
請求項４に記載のディスク装置であって、
前記凹部には、前記孔部に対して前記載置面と反対側に設けられ前記記録媒体の側面と略平行な誘導面が設けられた
ことを特徴とするディスク装置。
【請求項６】
請求項１ないし請求項５のいずれかに記載のディスク装置において、
前記他縁周縁部には、前記他縁周縁部の内側と外側とを連通させる通気部が設けられ、
前記記録媒体の回転に伴って発生した空気の流れを、前記切欠部から前記他縁周縁部内に取り込み、前記通気部から排出する
ことを特徴とするディスク装置。
【国際調査報告】
2009084094.tif 000012
2009084094.tif 000013
2009084094.tif 000014
2009084094.tif 000015